(57)【要約】【課題】運搬に適しており、且つ、メンテナンスを容易に行えるエアシャワー装置を提供する。【解決手段】エアシャワー装置１は、吸入口１２０を開閉自在に覆うように設けられた蓋体１６０を備えた装置本体１００と、装置本体１００の下部に取り外し可能に連結された脚体２００と、を備える。脚体２００は、複数の脚部材２２０と、装置本体１００の下面と同一の平面寸法の載置面を有する載置部２１１と、載置部２１１の側面に設けられ、複数の脚部材２２０がそれぞれ貫通する複数の脚受部２１２と、を備えた載置台２１０と、固定ピン２３０と、を備えている。固定ピン受孔２２０ａを異ならせて固定ピン２３０を挿通させて載置台２１０の高さを異ならせることにより、装置本体１００の高さ調節をできるようにした。【選択図】図１
2008132476.tif 000002
【特許請求の範囲】
【請求項１】
洗浄対象にエアシャワーを吹き付けてその洗浄対象に付着している汚染物質を除去するべく洗浄スペースに設置されるエアシャワー装置であって、
装置本体と、装置本体の下部に取り外し可能に連結された脚体と、を備え、
前記装置本体は、
エアシャワーを吹き出すべく装置本体の前面に設けられた吹き出し口と、
洗浄スペースの空気を装置本体内に吸入するための吸入口と、
前記吸入口に設けられたプレフィルターと、
前記吸入口から吸入された空気を浄化するためのメインフィルターと、
前記吸入口から吸入された空気を前記メインフィルターを通過させて前記吹き出し口から吹き出されるように強制循環させるファンと、
前記吸入口を開閉自在に覆うように設けられた蓋体と、を備え、
前記脚体は、
複数の脚部材と、
前記装置本体の下面と同一又は当該下面よりもやや大きい平面寸法の載置面を有する載置部と、当該載置部の側面に設けられ、前記複数の脚部材がそれぞれ貫通する複数の脚受部と、を備えた載置台と、
固定ピンと、を備え、
前記脚部材には、高さ方向の複数箇所に前記高さ固定ピンが挿通可能な固定ピン受孔が設けられ、
前記脚受部には、前記固定ピンが挿通される固定ピン挿通孔が設けられ、
前記固定ピン受孔と前記固定ピン挿通孔を連通させて固定ピンを挿通させることにより前記載置台に前記脚部材を固定するとともに、前記固定ピン受孔を異ならせて前記載置台の高さを異ならせることにより、前記装置本体の高さ調節ができるようにしたことを特徴とする、エアシャワー装置。
【請求項２】
前記装置本体が、その下面にキャスターを備え、
前記載置板には、当該キャスターが貫通可能な貫通孔が設けられていることを特徴とする、請求項１記載のエアシャワー装置。
【請求項３】
前記装置本体が、その上面に、他の装置本体の下面に設けられたキャスターを収容可能な陥没孔を有することにより、前記他の装置本体を積み重ねできるようになっていることを特徴とする、請求項２記載のエアシャワー装置。
【請求項４】
前記蓋体が吸入口の上下に設けられたレールに案内されて横方向にスライドするシャッターであり、
当該シャッターが、前記吸入口の左右の一方又は両方に設けられたシャッター収納部に収納可能に構成されていることを特徴とする、請求項１〜３いずれかに記載のエアシャワー装置。
【発明の詳細な説明】
【技術分野】
【０００１】
本発明は、汚染物質が付着した洗浄対象をエアシャワー（噴射された気流）によって洗浄することで、洗浄対象から汚染物質を除去するための洗浄装置に関する。
【背景技術】
【０００２】
有害物質が発生する作業現場や、半導体製造工場の出入り口などでは、作業者の保護衣などに付着した汚染物質などを除去するためにエアシャワー装置が設けられている。
【発明の開示】
【発明が解決しようとする課題】
【０００３】
従来技術におけるエアシャワー装置は、洗浄対象を洗浄するべく設けられたスペース（以下、「洗浄スペース」とする。）と一体となった、いわゆるボックスタイプが主流であった。
【０００４】
前記のボックスタイプのエアシャワー装置を設置するためには、大きな設置スペースを必要とする上、運搬する際にその都度分解、組み立てを要するため、前記のボックスタイプのエアシャワー装置は設置固定されて使用されるのが一般的である。
【０００５】
しかし、近年ではアスベスト問題などにより、エアシャワー装置をレンタルで作業現場に提供することが多くなっており、設置固定された従来のボックスタイプのエアシャワー装置に代えて、運搬が容易なエアシャワー装置に対する必要性が生じている。
【０００６】
また、レンタルでエアシャワー装置を提供するに際して、その都度フィルターの交換や装置内部の洗浄等が必要となり、メンテナンスの容易なエアシャワー装置が求められている。
【０００７】
従って、本発明が解決しようとする課題は、運搬に適しており、且つ、メンテナンスを容易に行えるエアシャワー装置を提供することにある。
【課題を解決するための手段】
【０００８】
上記の課題を解決するために本発明は、洗浄対象にエアシャワーを吹き付けてその洗浄対象に付着している汚染物質を除去するべく洗浄スペースに設置されるエアシャワー装置であって、装置本体と、装置本体の下部に取り外し可能に連結された脚体と、を備え、前記装置本体は、エアシャワーを吹き出すべく装置本体の前面に設けられた吹き出し口と、洗浄スペースの空気を装置本体内に吸入するための吸入口と、前記吸入口に設けられたプレフィルターと、前記吸入口から吸入された空気を浄化するためのメインフィルターと、前記吸入口から吸入された空気を前記メインフィルターを通過させて前記吹き出し口から吹き出されるように強制循環させるファンと、前記吸入口を開閉自在に覆うように設けられた蓋体と、を備え、前記脚体は、複数の脚部材と、前記装置本体の下面と同一又は当該下面よりもやや大きい平面寸法の載置面を有する載置部と、当該載置部の側面に設けられ、前記複数の脚部材がそれぞれ貫通する複数の脚受部と、を備えた載置台と、固定ピンと、を備え、前記脚部材には、高さ方向の複数箇所に前記高さ固定ピンが挿通可能な固定ピン受孔が設けられ、前記脚受部には、前記固定ピンが挿通される固定ピン挿通孔が設けられ、前記固定ピン受孔と前記固定ピン挿通孔を連通させて固定ピンを挿通させることにより前記載置台に前記脚部材を固定するとともに、前記固定ピン受孔を異ならせて前記載置台の高さを異ならせることにより、前記装置本体の高さ調節ができるようにしたことを特徴とする、エアシャワー装置を提供する。
【０００９】
上記のように構成されたエアシャワー装置は、洗浄スペースと独立したエアシャワー装置とすることで、運搬に適し、且つ、メンテナンスを容易にすることができる。また、前記吸入口に蓋体を設けることにより、装置内部の汚染物質が飛散するおそれが無いため、洗浄スペースを離れて運搬する際の安全を確保することができ、運搬に適している。また、装置本体を上下させるべく高さ調節が可能な脚体を備えているので、洗浄対象（部位）に合わせて吹き出し口の高さが調節できるので、従来の高さ調節ができないエアシャワー装置と比べて、より利便性が向上する。脚部材が貫通する脚受部が、装置本体の下面と同一又は当該下面よりもやや大きい平面寸法の載置面を有する載置部の側面に取り付けられているので、エアシャワー装置を運搬する際には、脚体を装置本体の上面に重ねることができる。これにより、より運搬を容易にすることができる。
【００１０】
本発明のエアシャワー装置において、前記装置本体が、その下面にキャスターを備え、前記載置板には、当該キャスターが貫通可能な貫通孔が設けられていることが好ましい。これにより、装置本体のキャスターを取り外すことなく、装置本体を載置台に載置できるので、設置作業がより容易になる。
【００１１】
また、本発明のエアシャワー装置において、前記装置本体が、その上面に、他の装置本体の下面に設けられたキャスターを収容可能な陥没孔を有することにより、前記他の装置本体を積み重ねできるようになっていることが好ましい。これにより、エアシャワー装置本体を複数台使用して、より大きな洗浄対象の汚染物除去を行うことができる。
【００１２】
また、本発明のエアシャワー装置において、前記蓋体が吸入口の上下に設けられたレールに案内されて横方向にスライドするシャッターであり、当該シャッターが、前記吸入口の左右の一方又は両方に設けられたシャッター収納部に収納可能に構成されていることが好ましい。これにより、吸入口解放時においても、蓋体が収納されているので、エアシャワー装置使用時の利便性が蓋体によって損なわれることが無い。
【発明の効果】
【００１３】
本発明によれば、運搬に適し、且つ、メンテナンスが容易なエアシャワー装置を提供することが可能となる。
【発明を実施するための最良の形態】
【００１４】
以下、本発明を実施するための最良の形態について説明する。
【００１５】
図１は、本発明のエアシャワー装置の形態例を示す斜視図（脚部材収納状態）である。図２は本発明のエアシャワー装置の形態例を示す前面図（設置状態）、図３は本発明のエアシャワー装置の形態例を示す側面図（設置状態）、図４は、本発明のエアシャワー装置の形態例において脚部材が収納された状態（搬送状態）を示す前面図である。また、図５は本発明のエアシャワー装置の装置本体における蓋体の形態例を説明する概略図である。図６は、本発明のエアシャワー装置の装置本体の使用形態例を説明する前面図（概略図）である。
【００１６】
このエアシャワー装置１は、装置本体１００の上側に設けられた吹き出し口１１１と、装置下側に設けられた吸入口１２０と、吸入口１２０に設けられたプレフィルター１３０と、吸入口１２０から吸入された空気を浄化するためのメインフィルター１４０と、吸入口１２０から吸入された空気をメインフィルター１４０を通過させて吹き出し口１１１から吹き出されるように強制循環させるファン１５０と、吸入口１２０を開閉自在に覆うように設けられた蓋体１６０と、装置本体の下部に連結された脚体２００と、を備えている。
【００１７】
洗浄スペースの空気は、ファン１５０による動力によってプレフィルター１３０を通し吸入されて上方に送られ、メインフィルター１４０を通過して完全に浄化された後、吹き出し口１１１からエアシャワーとして洗浄対象に噴射されることで、強制循環される。
【００１８】
プレフィルター１３０は、洗浄スペースの空気に含まれるホコリなどの比較的大きな汚染物質が、装置内部に吸入されてファンなどの故障の原因とならないように設けられている。
【００１９】
メインフィルター１４０は、吸入された空気に含まれる汚染物質を除去するためのもので、汚染物質等により適宜最適なものが選択される。例えばＨＥＰＡフィルターの使用が好ましい。
【００２０】
蓋体１６０は、運搬時などに吸入口１２０を密閉すべく吸入口１２０に開閉自在に設けられている。蓋体１６０には、吸入口１２０の寸法よりも若干大寸の板材が使用されている。この例では、蓋体１６０は、装置本体１００の下端部に蝶番１６１を介して連結されており、蝶番１６１を支点にして上下に回動することにより吸入口１２０を開閉できるようになっている。吸入口１２０の上縁部近傍には左右に密閉金具１６２が設けられていて、エアシャワー装置１の不使用時又は運搬時には、蓋体１６０を密閉金具１６２でロックすることにより吸入口１２０を塞いだ状態に保持できるようになっている。密閉金具１６２は、蓋体１６０を装置本体１００に対して押圧することにより、吸入口１２０を密閉する。密閉性を高めるために蓋体１６０若しくは吸入口１２０の周囲、又はその両方にパッキン等が設けられている。
【００２１】
装置本体１００の下面には４つのキャスター１８０が、上面には吊下金具１９０が、側面には運搬用取手１７０が設けられている。装置本体１００がキャスターを備えることにより、より運搬を円滑に行うことができる。また、吊下金具１９０を備えることにより、装置本体１００を吊り下げて使用することもできるし、運搬時などに輸送手段（トラック等）への搬入が容易になる。さらに、運搬用取手１７０により、装置本体１００を横向きにして容易に運搬することができる。なお、装置本体１００の上面には、図示されていないが、キャスター１８０を収容可能な陥没孔が設けられている。これにより、図６に示すように、複数の装置本体１００を載せ置きして使用でき、より大きな洗浄対象の汚染物除去を行うことができる。
【００２２】
また、吹き出し口１１１を含む装置前面パネル１１０は、フィルター交換等のメンテナンスを容易とすべく、蝶番１１３により開閉可能に設けられており、且つ、装置使用時には密閉ハンドル１１２により密閉可能となっている。
【００２３】
脚体２００は、連結金具３００によって装置本体１００と取り外し可能に連結されている。装置本体１００と脚体２００が連結金具３００によって連結されていることにより、エアシャワー装置１の使用時において、装置本体１００の振動等により、装置本体１００と脚体２００とが離脱することはない。また、図１の脚部材収納状態に示されるように、図３の固定金具４００によって載置台２１０を上下反転させて装置本体１００の下面に連結することが可能になっている（なお、図１では固定金具４００は図示されていない）。
【００２４】
脚体２００は装置本体１００を載せ置くための載置台２１０と、４本の脚部材２２０と、固定ピン２３０と、を備えている。
【００２５】
載置台２１０は、載置部２１１と、脚受部２１２と、を備えている。載置部２１１は、装置本体１００の下面と同一平面寸法の載置面を有する。すなわち、装置本体１００の下面の長手寸法は載置部２１１の長手寸法と同一であり、かつ、装置本体１００の下面の短手寸法は載置部２１１の短手寸法と同一となっている。また、載置部２１１には、キャスター１８０が貫通可能な貫通孔が設けられており、キャスター１８０を取り外しすることなく、装置本体１００を載せ置くことができるようになっている。脚受部２１２は載置部２１１の側面に設けられている。また、脚受部２１１は脚部材２１２の数だけ設けられている。脚受部２１２は、内部が刳り貫かれた直方体状であり、その内部寸法は脚部材２２０が貫通可能に選定されている。さらに、脚受部２１２の前面側、後面側には、それぞれ、固定金具２３０が挿通可能な固定ピン挿通孔が設けられている。
【００２６】
脚部材２２０は、四角柱状の部材であり、その下端には取り外し可能な滑止部材２２１が設けられている。また、脚部材２２０には、高さ方向の複数箇所に、固定ピン２３０が挿通可能な固定ピン受孔２２０ａが設けられている。固定ピン２３０は、Ｌ字型の金属部材である。図１に示すように、固定ピン受孔２２０ａは、脚部材２２０の上部に３箇所、下部に１箇所設けられている。
【００２７】
脚部材２２０が載置台２１０に固定させる際は、脚受部２１２の固定ピン挿通孔と脚部材の固定ピン受孔２２０ａとを連通させた状態で、固定ピン２３０を、脚受部２１２の前面側および後面側のいずれかの固定ピン挿通孔から挿通する。固定ピン２３０は、脚部材の固定ピン受孔２２０ａを貫通して、その先端が脚受部２１２の他方の固定ピン挿通孔から突出するようになっている。
【００２８】
上記のように構成されたエアシャワー装置１は、吸入口１２０に蓋体１６０を設けることにより、装置本体１００内部の汚染物質が飛散するおそれが無いため、洗浄スペースを離れて運搬する際の安全を確保することができ、運搬に適している。また、装置本体１００を上下させるべく高さ調節が可能な脚体２００を備えているので、洗浄対象（部位）に合わせて吹き出し口１１１の高さが調節できるので、従来の高さ調節ができないエアシャワー装置と比べて、より利便性が向上する。さらに、エアシャワー装置を従来と比べて小型に設計しても、使用時の利便性が損なわれることはない。脚部材２２０が貫通する脚受部２１２が、装置本体の下面と同一（又は当該下面よりもやや大きい平面寸法でも良い）の載置面を有する載置部２１１の側面に取り付けられている。これにより、図１に示すように、脚体２００を装置本体１００の下面に連結したまま運搬することもできるし、図４に示すように、脚体２００を装置本体１００に被せた状態、すなわち脚体２００を正立姿勢（キャスター１８０を下にした姿勢）のまま装置本体１００上部に嵌合させて運搬することもできる。
【００２９】
上記形態例では、蓋体１６０として板材を使用したが、図５の概略図に示すように、シャッター機構１６３を使用することも可能である。シャッター機構１６３は、吸入口１２０の上下に設けられたレール１６５ａ、１６５ｂに案内されてスライドするシャッター１６４ａおよび１６４ｂと、それらをそれぞれ収納するシャッター収納部１６６ａ、１６６ｂと、を備えている。シャッター１６４ａと１６４ｂは、複数設けられた折目によって折りたたまれて、それぞれシャッター収納部１６６ａ、１６６ｂに収納される。また、吸入口１２０の閉鎖時には、シャッター１６４ａと１６４ｂの先端同士が連結されることにより、吸入口１２０が密閉される。なお、運搬の利便性を考慮して、シャッター機構１６３の張り出しと、後述する密閉ハンドル１１２などの張り出しは略同一とすることが好ましい（図５（ｃ）参照）。
【００３０】
シャッターのスライド方向は横方向に限らず、上下方向でもよい。
【図面の簡単な説明】
【００３１】
【図１】本発明のエアシャワー装置の形態例を示す斜視図（脚部材収納状態）
【図２】本発明のエアシャワー装置の形態例を示す前面図（設置状態）
【図３】本発明のエアシャワー装置の形態例を示す側面図（設置状態）
【図４】本発明のエアシャワー装置の形態例において脚部材が収納された状態（搬送状態）を示す前面図
【図５】本発明のエアシャワー装置の装置本体における蓋体の形態例を説明する概略図（図５（ａ）はシャッター収納状態の前面図、図５（ｂ）は吸入口一部開放状態の前面図、図５（ｃ）は装置本体の側面図である。）
【図６】本発明のエアシャワー装置の装置本体の使用形態例を説明する前面図（概略図）
【符号の説明】
【００３２】
１        エアシャワー装置
１００    装置本体
１１０    前面パネル
１１１    吹き出し口
１１２    密閉ハンドル
１１３    蝶番
１１５    照明
１１６    電源コード
１１７，１１８  スイッチ
１２０    吸入口
１３０    プレフィルター
１４０    メインフィルター
１５０    ファン
１６０    蓋体
１６１    蝶番
１６２    密閉金具
１６３    シャッター機構
１７０    運搬用取手
１８０    キャスター
１９０    吊下げ金具
２００    脚体
２１０    載置台
２１１    載置部
２１２    脚受部
２２０    脚部材
２３０    固定ピン
３００    連結金具
４００    固定金具
【図１】
2008132476.tif 000003
【図２】
2008132476.tif 000004
【図３】
2008132476.tif 000005
【図４】
2008132476.tif 000006
【図５】
2008132476.tif 000007
【図６】
2008132476.tif 000008